(57)【要約】【課題】既存の照明スイッチ回路と互換可能な多機能型照明スイッチ回路を提供する。【解決手段】照明スイッチ回路１０は、操作スイッチ１０１に対応して配置されたスイッチ素子３１１又はセンサユニット１０５に対応して配置されたセンサ素子３１５と、操作スイッチ１０１の操作に応じてスイッチ素子３１１から出力される操作信号又はセンサ素子３１５から出力される検知信号を無線ＬＡＮルータ３に無線送信するとともに制御信号を無線ＬＡＮルータ３から無線受信する無線モジュール３２０と、制御信号に基づいてリレー制御信号を出力する制御回路３３０と、交流電源から直流電圧を生成してそれを無線モジュール３２０及び制御回路３３０に供給するＡＣ／ＤＣコンバータ４１０と、交流電源から照明器具４への給電線を開閉するリレースイッチ４２０と、リレー制御信号に応じて上記直流電圧を用いてリレースイッチ４２０を開閉するリレー駆動回路４３０とを含む。【選択図】  図５
2020024891.tif 000002
【特許請求の範囲】
【請求項１】
操作スイッチ又はセンサユニットが設けられるスイッチプレートの背面側に固定される照明スイッチ回路であって、
前記操作スイッチに対応して配置されたスイッチ素子又は前記センサユニットに対応して配置されたセンサ素子と、
前記操作スイッチの操作に応じて前記スイッチ素子から出力される操作信号又は前記センサ素子から出力される検知信号を無線ＬＡＮルータに無線送信するとともに制御信号を前記無線ＬＡＮルータから無線受信する無線モジュールと、
前記制御信号に基づいてリレー制御信号を出力する制御回路と、
交流電源から直流電圧を生成して該直流電圧を前記無線モジュール及び前記制御回路に供給するＡＣ／ＤＣコンバータと、
前記交流電源から照明器具への給電線を開閉するリレースイッチと、
前記リレー制御信号に応じて前記直流電圧を用いて前記リレースイッチを開閉するリレー駆動回路と
を備える照明スイッチ回路。
【請求項２】
前記スイッチプレートの背面側に配置されるケースと、
前記スイッチ素子又は前記センサ素子、前記無線モジュール及び前記制御回路が実装された制御基板と、
前記ＡＣ／ＤＣコンバータ、前記リレースイッチ及び前記リレー駆動回路が実装された電源基板と、
前記給電線を前記電源基板に接続する接続端子が実装されたコネクタ基板と
を備え、
前記制御基板、前記電源基板及び前記コネクタ基板が前記ケース内で積層された、請求項１に記載の照明スイッチ回路。
【請求項３】
前記スイッチプレートから近い順に、前記制御基板、前記電源基板及び前記コネクタ基板が配置された、請求項２に記載の照明スイッチ回路。
【請求項４】
前記スイッチプレートから近い順に、前記制御基板、前記コネクタ基板及び前記電源基板が配置された、請求項２に記載の照明スイッチ回路。
【請求項５】
前記制御基板が、前記スイッチ素子又は前記センサ素子が実装された前面側の第１の基板面及び該第１の基板面の裏面である第２の基板面を有し、前記無線モジュール及び前記制御回路が前記第２の基板面に設けられた、請求項２から４のいずれか一項に記載の照明スイッチ回路。
【請求項６】
前記無線モジュールがＷｉ−ＦｉＳｏＣである、請求項１から５のいずれか一項に記載の照明スイッチ回路。
【請求項７】
前記センサユニットが人感センサである、請求項１から６のいずれか一項に記載の照明スイッチ回路。
【請求項８】
請求項１から７のいずれか一項に記載の照明スイッチ回路と、
前記スイッチプレート、前記操作スイッチ及び前記センサユニットを含む前面パネルと、
前記照明スイッチ回路と前記前面パネルとを壁面に取り付けるための取付部材と
を備える照明スイッチ。
【請求項９】
前記前面パネルに設けられた発光可能なインジケータをさらに備え、
前記無線モジュールと前記無線ＬＡＮルータとの間の無線通信接続が確立されている場合と、該無線通信接続が確立されていない場合との間で、前記制御回路が前記インジケータの点消灯状態を異ならせるように構成された、請求項８に記載の照明スイッチ。
【請求項１０】
請求項８又は９に記載の照明スイッチと、
前記操作信号又は前記検知信号を前記無線モジュールから無線受信するとともに前記制御信号を前記無線モジュールに無線送信する無線ＬＡＮルータと、
前記操作信号又は前記検知信号に応じて前記制御信号を生成する照明制御部、及び前記操作信号又は前記検知信号を前記無線ＬＡＮルータから通信ネットワークを介して受信するとともに前記制御信号を前記通信ネットワークを介して前記無線ＬＡＮルータに送信する通信部を含むクラウドサーバと
を備えた照明スイッチシステム。
【請求項１１】
前記通信部が、前記照明器具の点消灯を指示する制御指令信号を所定の制御端末から前記無線ＬＡＮルータ及び前記通信ネットワークを介して受信し、前記照明制御部が、前記制御指令信号に対応する前記制御信号を生成するように構成された、請求項１０に記載の照明スイッチシステム。
【請求項１２】
前記通信部が、前記照明器具の点消灯を指示する制御指令信号を携帯端末から前記通信ネットワークを介して受信し、前記照明制御部が、前記制御指令信号に対応する前記制御信号を生成するように構成された、請求項１０に記載の照明スイッチシステム。
【請求項１３】
複数の請求項８又は９に記載の照明スイッチと、
前記検知信号を前記無線モジュールから無線受信する無線ＬＡＮルータと、
前記センサユニット及び前記センサ素子を有する前記照明スイッチに対応する検知エリアを示す検知エリア情報を記憶する記憶部、前記検知エリア情報を参照して前記検知信号に対応する宅内の位置を示す現在位置情報を含む監視通知信号を生成する監視通知部、及び前記検知信号を前記無線ＬＡＮルータから通信ネットワークを介して受信するとともに前記監視通知信号を前記通信ネットワークを介して携帯端末に送信する通信部を含むクラウドサーバと
を備えた照明スイッチシステム。
【発明の詳細な説明】
【技術分野】
【０００１】
本発明は、照明スイッチ回路、照明スイッチ及び照明スイッチシステムに関する。
【背景技術】
【０００２】
特許文献１の安否確認システムは、検知装置、制御装置及び管理装置（センタサーバ）を有する。検知装置は照明装置が操作されたか否かを検知し、制御装置は通信を介して検知装置から検知結果を取得する。管理装置は、制御装置が取得した検知結果に基づいて、照明装置が制御された日時を示す日時情報を出力する。また、照明装置及びそれに対する操作を受け付けるスイッチは、無線ＬＡＮなどの無線通信機能を有する。利用者がスイッチを操作すると、照明装置が無線通信を介して点消灯制御されるとともに、照明装置が点灯又は消灯された旨の検知結果が無線通信を介して制御装置に送信される。
【先行技術文献】
【特許文献】
【０００３】
【特許文献１】特開２０１７−０２１７５４号公報
【発明の概要】
【発明が解決しようとする課題】
【０００４】
照明スイッチを用いて種々の付加機能を実現するためには、その内部の照明スイッチ回路が既存の照明スイッチ回路と容易に置き換え可能な構成であることが望ましい。既存の照明スイッチ回路からの容易な置き換えを実現するためには、まず、無線通信機能などを有さない既設の照明装置（照明器具）に変更を加えることなく、照明スイッチ回路の付加機能が実現されることが必要である。しかし、そのような既存の照明スイッチ回路と互換可能な多機能型の照明スイッチ回路は未だ提案されていない。
【０００５】
そこで、本発明は、既設又は既存の照明器具への変更を要さずに既存の照明スイッチ回路と互換可能な多機能型の照明スイッチ回路及びそれを用いた照明スイッチを提供することを課題とする。またさらに、本発明は、そのような照明スイッチを用いた照明スイッチシステムを提供することを課題とする。
【課題を解決するための手段】
【０００６】
本発明の照明スイッチ回路は、操作スイッチ又はセンサユニットが設けられるスイッチプレートの背面側に固定される。照明スイッチ回路は、操作スイッチに対応して配置されたスイッチ素子又はセンサユニットに対応して配置されたセンサ素子と、操作スイッチの操作に応じてスイッチ素子から出力される操作信号又はセンサ素子から出力される検知信号を無線ＬＡＮルータに無線送信するとともに制御信号を無線ＬＡＮルータから無線受信する無線モジュールと、制御信号に基づいてリレー制御信号を出力する制御回路と、交流電源から直流電圧を生成してその直流電圧を無線モジュール及び制御回路に供給するＡＣ／ＤＣコンバータと、交流電源から照明器具への給電線を開閉するリレースイッチと、リレー制御信号に応じて上記直流電圧を用いてリレースイッチを開閉するリレー駆動回路とを備える。また、本開示の照明スイッチは、上記照明スイッチ回路と、スイッチプレート、操作スイッチ及びセンサユニットを含む前面パネルと、照明スイッチ回路と前面パネルとを壁面に取り付けるための取付部材とを備える。
【０００７】
上記照明スイッチ回路及び照明スイッチによると、無線モジュールによって受信される制御信号に応じてリレースイッチが照明器具への給電線を開閉するように構成される。したがって、既設又は既存の照明器具への変更を要さずに既存の照明スイッチ回路と互換可能な多機能型の照明スイッチ回路及び照明スイッチが実現される。
【０００８】
ここで、照明スイッチ回路は、スイッチプレートの背面側に配置されるケースと、スイッチ素子又はセンサ素子、無線モジュール及び制御回路が実装された制御基板と、ＡＣ／ＤＣコンバータ、リレースイッチ及びリレー駆動回路が実装された電源基板と、給電線を電源基板に接続する接続端子が実装されたコネクタ基板とを備え、制御基板、電源基板及びコネクタ基板がケース内で積層される。これにより、各回路及び各基板の効率的な配置が可能となり、無線通信機能などの付加機能に伴う照明スイッチ回路の大型化が抑制され、一般的なスイッチ回路との互換性がより確保される。
【０００９】
一形態として、スイッチプレートから近い順に、制御基板、電源基板及びコネクタ基板が配置されることが好ましい。電源基板は制御基板及びコネクタ基板に直接に配線接続される必要があるが、制御基板とコネクタ基板とは直接に配線接続される必要はないため、電源基板を挟んで制御基板及びコネクタ基板を積層することによって接続配線の引回しが最適化され、高い施工性の照明スイッチ回路及び照明スイッチが実現される。
【００１０】
他の形態として、スイッチプレートから近い順に、制御基板、コネクタ基板及び電源基板が配置されてもよい。これにより、制御基板の無線モジュール及び制御回路と、発熱源である電源基板のＡＣ／ＤＣコンバータとの離隔距離が最大化されるとともに、その間にコネクタ基板が介在する。したがって、電源基板から制御基板への輻射熱が低減され、無線モジュール及び制御回路の信頼性が一層確保される。また、電源基板が、ケース内で最外部に配置されることにより、ＡＣ／ＤＣコンバータの放熱性が向上し、電源基板の温度上昇が抑制されてその信頼性が一層確保される。
【００１１】
また、上記いずれかの形態において、制御基板は、スイッチ素子又はセンサ素子が実装された前面側の第１の基板面及びその裏面である第２の基板面を有し、無線モジュール及び制御回路が第２の基板面に設けられる。これにより、制御基板における効率的な部品配置が可能となる。
【００１２】
また、無線モジュールはＷｉ−ＦｉＳｏＣである。そして、センサユニットは人感センサである。これらの少なくとも一方により、照明スイッチ回路及び照明スイッチの汎用性が確保される。
【００１３】
またさらに、照明スイッチは、前面パネルに設けられた発光可能なインジケータを備え、無線モジュールと無線ＬＡＮルータとの間の無線通信接続が確立されている場合と、無線通信接続が確立されていない場合との間で、制御回路がインジケータの点消灯状態を異ならせるように構成されることが好ましい。これにより、Ｗｉ−Ｆｉ接続状態の容易な確認が可能となり、施工作業者及び照明ユーザにおいて無線通信状態の確認作業が効率化される。
【００１４】
本開示の照明スイッチシステムは、上記いずれかの照明スイッチと、操作信号又は検知信号を無線モジュールから無線受信するとともに制御信号を無線モジュールに無線送信する無線ＬＡＮルータと、無線ＬＡＮルータから通信ネットワークを介して受信される操作信号又は検知信号に応じて制御信号を生成し、制御信号を通信ネットワークを介して無線ＬＡＮルータに送信するクラウドサーバとを備える。これにより、クラウドを用いるシステムにおいて、既存の照明スイッチ回路と互換可能な多機能型の照明スイッチが用いられるので、導入容易な照明スイッチシステムが実現される。
【００１５】
ここで、通信部は、照明器具の点消灯を指示する制御指令信号を所定の制御端末から無線ＬＡＮルータ及び通信ネットワークを介して受信し、照明制御部は、制御指令信号に対応する制御信号を生成するように構成され得る。これにより、クラウド及び宅内の制御端末を用いる遠隔操作機能を有するシステムとして、照明スイッチを利用して低コストな構成で宅内全域に容易に適用可能な照明スイッチシステムが実現される。
【００１６】
また、通信部は、照明器具の点消灯を指示する制御指令信号を携帯端末から通信ネットワークを介して受信し、照明制御部が、制御指令信号に対応する制御信号を生成するように構成され得る。これにより、クラウド及び宅外の携帯端末を用いる遠隔操作機能を有するシステムとして、照明スイッチを利用して低コストな構成で宅内全域に容易に適用可能な照明スイッチシステムが実現される。
【００１７】
また、本開示の照明スイッチシステムは、複数の上記いずれかの照明スイッチと、検知信号を無線モジュールから無線受信する無線ＬＡＮルータと、センサユニット及びセンサ素子を有する照明スイッチに対応する検知エリアを示す検知エリア情報を記憶する記憶部、検知エリア情報を参照して検知信号に対応する宅内の位置を示す現在位置情報を含む監視通知信号を生成する監視通知部、及び検知信号を無線ＬＡＮルータから通信ネットワークを介して受信するとともに監視通知信号を通信ネットワークを介して携帯端末に送信する通信部を含むクラウドサーバとを備える。上記照明スイッチシステムによると、既設又は既存の照明器具への変更を要さずに既存の照明スイッチ回路と互換可能な多機能型の照明スイッチが用いられるので、導入容易な照明スイッチシステムが実現される。特に、クラウド及び携帯端末を用いる宅内ユーザ見守り機能を有するシステムとして、照明スイッチを利用して低コストな構成で宅内全域に容易に適用可能な照明スイッチシステムが実現される。
【図面の簡単な説明】
【００１８】
【図１】第１の実施形態による照明スイッチの前面図である。
【図２】第１の実施形態による照明スイッチの側面の部分透視図である。
【図３】第１の実施形態による照明スイッチ回路のケースを示す図である。
【図４】第１の実施形態による照明スイッチ回路の内部構成を説明する図である。
【図５】第１の実施形態による照明スイッチ回路の回路構成を説明する図である。
【図６】第２の実施形態による照明スイッチ回路の内部構成を説明する図である。
【図７】第２の実施形態による照明スイッチの側面透視図である。
【図８】第３の実施形態による照明スイッチシステムのブロック図である。
【図９】第３の実施形態による照明スイッチシステムのスイッチ操作／検知機能を説明する信号フロー図である。
【図１０】第３の実施形態による照明スイッチシステムの宅内遠隔操作機能を説明する信号フロー図である。
【図１１】第３の実施形態による照明スイッチシステムの宅外遠隔操作機能を説明する信号フロー図である。
【図１２】第３の実施形態による照明スイッチシステムの宅内ユーザ見守り機能を説明する信号フロー図である。
【発明を実施するための形態】
【００１９】
＜第１の実施形態＞
図１〜図５を用いて、本発明の第１の実施形態による照明スイッチ回路１０及びそれを含む照明スイッチ２を説明する。まず、図１に、照明スイッチ２が壁面Ｗに取り付けられた場合の前面図を示す。照明スイッチ２は、壁面Ｗに設置された状態においては、外観上は通常の壁スイッチと実質的に同様である。また、図２に照明スイッチ２が壁面Ｗに取り付けられた場合の照明スイッチ２の側面の部分透視図を示す。
【００２０】
以下の説明において、壁の外側（すなわち居住空間側）から壁面Ｗに向かって右方向及び上方向をそれぞれｘ軸正方向及びｙ軸正方向とする。また、壁面Ｗに対して垂直な方向において壁の内側から外側に向かう方向をｚ軸正方向とする。壁面Ｗに垂直な視方向（ｚ軸正方向又はｚ軸負方向）を平面視というものとする。また、各構成要素において、ｚ軸正方向を向く面を前面、ｚ軸負方向を向く面を背面というものとする。なお、各図は、説明のための模式図であり、寸法通りとは限らない。
【００２１】
図１（ａ）に示すように、照明スイッチ２は、前面にスイッチプレート１００、操作スイッチ１０１及び１０２並びにセンサユニット１０５を有する。スイッチプレート１００は枠状の平板であり、操作スイッチ１０１及び１０２並びにセンサユニット１０５は平面視において相互に隣接してスイッチプレート１００の内周に収容されるように配置される。なお、スイッチプレート１００、操作スイッチ１０１及び１０２並びにセンサユニット１０５をまとめて前面パネルＰというものとする。
【００２２】
操作スイッチ１０１及び１０２には、必要に応じてインジケータ１０３及び１０４（例えばＬＥＤ）がそれぞれ設けられる。インジケータ１０３及び１０４は、例えば、それぞれ操作スイッチ１０１及び１０２に対応する照明器具が点灯している場合には消灯し（又は赤色で点灯し）、当該照明器具が消灯している場合には（例えば緑色で）点灯するように構成される。センサユニット１０５は、本実施形態では人感センサのカバー１０６を有する。また、前面パネルＰの適宜の位置に通信接続確認用のインジケータ１０７（例えばＬＥＤ）が設けられる。インジケータ１０７は、例えば、後述する無線ＬＡＮルータとの無線通信接続が確立されている場合には点灯し、それ以外の場合には消灯するように構成される。本実施形態では、インジケータ１０７は、センサユニット１０５に設けられるが、操作スイッチ１０１又は１０２に設けられてもよい。あるいは、インジケータ１０７は、操作スイッチ１０１及び１０２並びにセンサユニット１０５から独立して区分けされた領域（例えば、操作スイッチ１０１と操作スイッチ１０２の境界部、操作スイッチ１０２とセンサユニット１０５の境界部、センサユニット１０５の下端とスイッチプレート１００の内周の間の領域など）に設けられてもよい。インジケータ１０７の点灯態様については後述する。
【００２３】
図１（ｂ）は、図１（ａ）の状態から前面パネルＰなどを取り外した場合の正面図を示す。図１（ｂ）に示すように、照明スイッチ２は、固定用プレート１０８及び取付枠１１０を有する。スイッチプレート１００の背面と壁面Ｗの間において、スイッチプレート１００の背面側に固定用プレート１０８が収容され、壁面Ｗを挟んで固定用プレート１０８の背面側に取付枠１１０が取り付けられる。取付枠１１０は、円形孔１１１（４か所）及び長円孔１１２（２か所）に挿通されるネジなどの挿通具（不図示）によって壁面Ｗの前面に固定される。固定用プレート１０８は、ネジなどの挿通具１１３によって取付枠１１０に固定される。スイッチプレート１００は、固定用プレート１０８に対して、不図示の爪構造などの係止部によって固定される。固定用プレート１０８及び取付枠１１０をまとめて取付部材Ａというものとする。なお、各部の固定の態様は上記に限られない。また、取付枠１１０の枠内に一部が露出している制御基板３００については後述する。
【００２４】
図２に示すように、照明スイッチ２は、鋼製ボックス１２０及びケース２００をさらに有する。図２においては、取付部材Ａなどの図示は省略され、鋼製ボックス１２０の内部が示される。スイッチプレート１００の背面は壁面Ｗの前面Ｗａに当接され、鋼製ボックス１２０は前面パネルＰの背面側に取付部材Ａなどによって固定される。鋼製ボックス１２０は、略直方体の開口金属筐体であり、上側部１２１、下側部１２２及び底部１２５並びに不図示の２面の側部（上側部１２１、下側部１２２及び底部１２５に連続する面）を有する。
【００２５】
ケース２００は、樹脂又は金属の筐体であり、前面パネルＰの背面側と鋼製ボックス１２０の内面とで画定される空間に設置される。ケース２００は、適宜の態様で（例えば、鋼製ボックス１２０の底部１２５の内面に当接されて）前面パネルＰの背面に対して固定される。
【００２６】
図３に、ケース２００の外観を示す。図３において、（ａ）はｚ軸正負向を視方向とする正面図であり、（ｂ）はｙ軸正方向を視方向とする側面図であり、（ｃ）はｘ軸負方向を視方向とする側面図である。ケース２００は、本体部２１０及び蓋部２２０を有する。平面視において、ケース２００の外周形状は、少なくともスイッチプレート１００の外周形状よりも小さく、好ましくは矩形の取付開口Ｗｃよりも小さい。ケース２００の寸法は、例えば、長さ（ｙ軸方向長さ）が７２ｍｍ、幅（ｘ軸方向長さ）が５０ｍｍ、高さ（ｚ軸方向の長さ）が５０ｍｍである。なお、上述した図１（ｂ）は、蓋部２２０が装着されていない状態での分解図である。
【００２７】
本体部２１０は、図３（ｂ）及び（ｃ）に示すように、前面側の主収容部２１１並びに背面側の配線引き込み部２１２及び配線引き出し部２１３を有する。主収容部２１１、配線引き込み部２１２及び配線引き出し部２１３はそれぞれ実質的に直方体であり、主収容部２１１に配線引き込み部２１２及び配線引き出し部２１３が結合されてもよいし、一体形成されていてもよい。主収容部２１１、配線引き込み部２１２及び配線引き出し部２１３は内部空間で連続しており、主収容部２１１は蓋部２２０側に開口している。配線引き込み部２１２においては、入力電源側の給電線Ｌ及びＮが主収容部２１１に対して引き込まれ、配線引き出し部２１３においては、負荷側の給電線Ｌ１及びＬ２（場合によってはさらに給電線Ｎ）が収容部２１１から引き出される。また、鋼製ボックス１２０の側部１２１及び１２２にも、引き込み孔２１４及び不図示の引き出し孔に対応する位置に孔が設けられる。
【００２８】
蓋部２２０は、図３（ａ）に示すように、平面視において略平板状であり、弾性部２２１及び２２２並びにセンサ孔２２３を有する。弾性部２２１及び２２２は、それぞれ操作スイッチ１０１及び１０２に対応する位置に配置される。より詳細には、弾性部２２１は先端部２２１ａ及び基部２２１ｂを有し、基部２２１ｂは蓋部２２０の全体に固定され、先端部２２１ａは基部２２１ｂを支点としてｚ軸方向に弾性的に可動に構成される。同様に、弾性部２２２は先端部２２２ａ及び基部２２２ｂを有し、基部２２２ｂは蓋部２２０の全体に固定され、先端部２２２ａは基部２２２ｂを支点としてｚ軸方向に弾性的に可動に構成される。先端部２２１ａ及び２２２ａは、後述する制御基板３００のスイッチ素子３１１及び３１２にそれぞれ対応する位置に配置される。弾性部２２１について、通常時、すなわち操作スイッチ１０１が操作されていない状態においては、先端部２２１ａはスイッチ素子３１１に接触しない。先端部２２１ａは、操作スイッチ１０１の押下に応じてスイッチ素子３１１に作用（接触乃至は押圧）し、その押下操作終了後に基部２２１ａを支点とする弾性部２２１の弾性力によって非作用位置（スイッチ素子３１１に接触しない位置）に戻る。これは、弾性部２２２についても同様である。センサ孔２２３は、センサユニット１０５のカバー１０６に対応する位置、すなわち後述のセンサ素子３１５に対応する位置に設けられる。
【００２９】
また、蓋部２２０は、図３（ｂ）に示すように、その端部にｚ軸負方向に延在する４個の突起部２２４を有する。突起部２２４の各々は、蓋部２２０が本体部２１０に固定される際に本体部２１０の内側部又は外側部に当接し、これにより、本体部２１０と蓋部２２０が固定される。なお、突起部の数及び位置は図３に示すものに限られず、種々の態様が適用され得る。また、本体部２１０と蓋部２２０の固定態様はこれに限られず、適宜の固定手段が適用され得る。
【００３０】
図４は、ケース２００の内部構成を説明する図である。図４（ａ）に、ケース２００の内部の側面透視図を示す。本開示において、照明スイッチ回路１０は、ケース２００、制御基板３００、電源基板４００及びコネクタ基板５００を含む。ケース２００の内部には、制御基板３００、電源基板４００及びコネクタ基板５００が積層される。本実施形態では、スイッチプレート１００に近い方から、制御基板３００、電源基板４００及びコネクタ基板５００の順に配置される。制御基板３００、電源基板４００及びコネクタ基板５００の各々は、ケース２００の内壁の凹凸構造、段差などによってケース２００内部に適宜固定され得る。あるいは、制御基板３００、電源基板４００及びコネクタ基板５００同士が適宜のコネクタ、スペーサなどによって固定されて３段一体基板が形成され、その３段一体基板の一部がケース２００内部に固定されてもよい。また、制御基板３００と電源基板４００の間には、絶縁シートが配置されることが好ましい。制御基板３００、電源基板４００及びコネクタ基板５００の各構成を説明する前に、図５を参照して、照明スイッチ回路１０の回路構成を説明する。
【００３１】
図５は、照明スイッチ回路１０の回路構成を示す図である。図５に示すように、照明スイッチ回路１０は、商用電源などの交流電源ＡＣに給電線Ｌ及び給電線Ｎ（接地側）を介して接続される。また、照明スイッチ１０は、照明器具４−１及び４−２にそれぞれ給電線Ｌ１及びＬ２を介して接続される。給電線Ｎは、照明スイッチ回路１０にも照明器具４−１及び４−２にも接続される。なお、給電線Ｎは、適宜の態様で照明スイッチ回路１０の内部を貫通するように配線されてもよい。すなわち、給電線Ｎは、鋼製ボックス１２０の内部であってケース２００の外部に配されてもよいし、ケース２００の配線接続部２１２の内部に（すなわち配線接続部２１２を貫通して）配されてもよい。なお、照明器具４−１及び４−２を総称して又はいずれか１つを代表して照明器具４というものとする。
【００３２】
制御基板３００には、スイッチ素子３１１及び３１２、センサ素子３１５、無線モジュール３２０及び制御回路３３０が実装される。スイッチ素子３１１及び３１２の各々はマイクロスイッチからなり、以下の説明においてはマイクロスイッチ３１１及び３１２ともいう。マイクロスイッチ３１１及び３１２は、平面視において、操作スイッチ１０１及び１０２に対応する位置にそれぞれ配置され、操作スイッチ１０１及び１０２の押下操作に応じて操作信号を出力する。センサ素子３１５は、本実施形態では、例えば、人感センサ用の焦電型赤外センサ素子、ＣＣＤ撮像素子などである。センサ素子３１５は、センサユニット１０５に対応する位置に配置され、検知エリアにける人体の在／不在を示す検知結果に応じた検知信号を出力する。
【００３３】
無線モジュール３２０は、本実施形態では、Ｗｉ−Ｆｉ（登録商標）通信を行うＷｉ−ＦｉＳｏＣ（システムオンチップ）であり、所定のＷｉ−ＦｉルータとＷｉ−Ｆｉ規格による無線通信を行うことができる。具体的には、無線モジュール３２０は、操作信号及び検知信号をＷｉ−Ｆｉルータに送信し、Ｗｉ−Ｆｉルータからの制御信号を受信することができる。このように、一般的に普及しているＷｉ−Ｆｉ規格を用いることにより、すなわち、一般家庭に普及し得るＷｉ−Ｆｉルータを利用することにより、照明スイッチ回路１０及び照明スイッチ２の汎用性が確保される。
【００３４】
制御回路３３０は、マイコン（ＣＰＵ、メモリ）、各種制御ＩＣ及びその周辺回路を含み、操作信号及び検知信号を無線モジュール３２０に無線送信させ、無線モジュール３２０で受信される制御信号に応じて電源基板４００へのリレー制御信号を出力する。制御回路３３０は、無線モジュール３２０のその他の信号の通信制御を実行することもできる。
【００３５】
また、制御回路３３０は、制御信号又はリレー制御信号に基づいて操作スイッチ１０１及び１０２のインジケータ１０３及び１０４を点消灯する。さらに、制御回路３３０は、無線モジュール３２０と上記無線ＬＡＮルータ（Ｗｉ−Ｆｉルータ）との間の無線通信接続（Ｗｉ−Ｆｉ接続）の状態に応じてセンサユニット１０５のインジケータ１０７を点消灯制御する。具体的には、制御回路３３０は、上記Ｗｉ−Ｆｉ接続が確立されている場合（Ｗｉ−Ｆｉ接続時）にはインジケータ１０７を緑色に点灯させ、上記Ｗｉ−Ｆｉ接続が確立されていない場合（Ｗｉ−Ｆｉ非接続時）にはインジケータ１０７を消灯させる。ただし、インジケータ１０７の点消灯の態様は上記に限られず、Ｗｉ−Ｆｉ接続時とＷｉ−Ｆｉ非接続時との間でユーザに視認可能な態様で異なればよい。例えば、インジケータ１０７の点消灯状態は、Ｗｉ−Ｆｉ接続時／Ｗｉ−Ｆｉ非接続時に対して、それぞれ、第１発光色（例えば緑色）での点灯／第２発光色（例えば赤色）での点灯、点灯／点滅、点灯／明滅、明滅／消灯、点滅／消灯、消灯／（例えば赤色での）点灯、消灯／点滅、その他種々の態様が存在し得る。
【００３６】
また、インジケータ１０３又は１０４が、インジケータ１０７の機能を兼ねてもよい（この場合、別途のインジケータ１０７は不要となる）。例えば、インジケータ１０３又は１０４は、操作スイッチ１０１又は１０２に対応する照明器具の点消灯に応じて適宜の態様で点消灯される一方で、Ｗｉ−Ｆｉ非接続時には点滅されるようにしてもよし、別途の発光色で点灯されるようにしてもよい。また、インジケータ１０３又は１０４は、操作スイッチ１０１又は１０２に対応する照明器具の点消灯に応じて適宜の発光色で点灯される一方で、Ｗｉ−Ｆｉ非接続時には消灯されるようにしてもよいし、別途の発光色で点灯されるようにしてもよい。
【００３７】
電源基板４００には、ＡＣ／ＤＣコンバータ４１０、リレースイッチ４２０及びリレー駆動回路４３０が実装される。ＡＣ／ＤＣコンバータ４１０は、交流電源ＡＣから入力される交流電圧を直流電圧に変換し、その直流電圧を制御基板３００の各回路（例えば、無線モジュール３２０及び制御回路３３０）、リレー駆動回路４３０などにそれぞれ動作電源として供給する。なお、上記直流電圧は、各回路において適切な電圧値となるように電圧レギュレータ回路によって再度定電圧化され得る。
【００３８】
リレースイッチ４２０は、スイッチ４２１及び４２２を有する。スイッチ４２１は給電線Ｌと給電線Ｌ１の間に接続され、スイッチ４２２は給電線Ｌと給電線Ｌ２の間に接続される。スイッチ４２１及び４２２は、リレー駆動回路４３０からの駆動電流によってそれぞれ開閉される。リレー駆動回路４３０は、制御回路３３０から入力されるリレー制御信号に応じてリレースイッチ４２０のスイッチ４２１及び４２２をそれぞれ開閉する駆動電流を生成する増幅回路である。
【００３９】
コネクタ基板５００には、接続端子５１０及び５１５が実装される。具体的には、接続端子５１０は、交流電源ＡＣからの給電線Ｌ及び給電線Ｎ（接地側）の外部配線と内部配線とをそれぞれ接続する。接続端子５１５は、照明器具４−１（点灯装置４１ａ）の一方の入力端への給電線Ｌ１及び照明器具４−２（点灯装置４１ｂ）の一方の入力端への給電線Ｌ２の外部配線と内部配線とをそれぞれ接続する。また、コネクタ基板５００には、温度ヒューズ、ヒューズ抵抗、バリスタ、フィルタ用コンデンサ（いわゆるＸコン）などの入力回路部品が、さらに実装され得る。
【００４０】
図４に戻り、制御基板３００、電源基板４００及びコネクタ基板５００の積層構成について説明する。図４（ａ）に示すように、制御基板３００は、前面３０１（第１の基板面）及び背面３０２（第２の基板面）を有する。図４（ｂ）に、前面３０１の平面図を示す。前面３０１には、マイクロスイッチ３１１及び３１２並びにセンサ素子３１５が実装される。背面３０２には、無線モジュール３２０、制御回路３３０（ＩＣなどの面実装部品）などが実装される。また、背面３０２には、電源基板４００との信号入出力のための適宜の配線（不図示）及び必要に応じてコネクタが接続されるものとする。なお、インジケータ１０３、１０４及び１０７の点消灯のための別途の配線が、制御基板３００（制御回路３３０）に接続される。
【００４１】
図４（ａ）に示すように、電源基板４００は、前面４０１及び背面４０２を有する。図４（ｃ）に、背面４０２の平面図を示す。背面４０２には、ＡＣ／ＤＣコンバータ４１０及びリレー駆動回路４３０のディスクリート部品（例えば、トランスＴ、コンデンサＣ、ヒューズＦなど）並びにリレースイッチ４２０が実装される。前面４０１には、ＡＣ／ＤＣコンバータ４１０及びリレー駆動回路４３０の面実装部品（ＩＣなど）が実装される。また、電源基板４００（例えば前面４０１）には、制御基板３００（例えば背面３０２）との信号入出力のための適宜の配線（必要に応じてコネクタ）が接続される。さらに、電源基板４００（例えば背面４０２）には、コネクタ基板５００からの給電線（不図示）及び必要に応じてコネクタが接続されるものとする。
【００４２】
なお、前面４０１と背面４０２の配置は逆であってもよい。すなわち、前面４０１にＡＣ／ＤＣコンバータ４１０及びリレー駆動回路４３０のディスクリート部品並びにリレースイッチ４２０が実装され、背面４０２にＡＣ／ＤＣコンバータ４１０及びリレー駆動回路４３０の面実装部品が実装されてもよい。
【００４３】
図４（ａ）に示すように、コネクタ基板５００は、前面５０１及び背面５０２を有する。図４（ｄ１）に、背面５０２の平面図を示す。背面５０２には、接続端子５１０及び５１５が設けられる。接続端子５１０は交流電源からの給電線Ｌ及びＮに接続され、接続端子５１５は照明器具への給電線Ｌ１、Ｌ２及びＮに接続される。図４（ｄ１）に示す場合においては、給電線Ｎは、コネクタ基板５００上で接続端子５１０と接続端子５１５の間にパターン配線などで結線される。一方、図４（ｄ２）に示すように、給電線Ｎは、コネクタ基板５００上で結線されるのではなく、接続端子５１０から接続端子５１５を経由せずに照明器具４−１及び４−２に接続されてもよい。また、不図示であるが、上述した入力回路部品が、例えば前面５０１に実装される。なお、前面５０１と背面５０２の配置は逆であってもよく、すなわち、前面５０１に接続端子５１０及び５１５が実装されてもよい。また、接続端子５１０及び５１５は一体化されていてもよい。
【００４４】
次に、照明スイッチ２の動作を説明する。例えば、ユーザが操作スイッチ１０１を押下することによって、マイクロスイッチ３１１は操作信号を制御回路３３０に出力する。制御回路３３０は、無線モジュール３２０から無線ＬＡＮルータ（Ｗｉ−Ｆｉルータ）を介して所定のサーバに操作信号を転送させる。これに応じて、当該サーバは、操作信号に対応する制御信号を生成してそれを上記Ｗｉ−Ｆｉルータを介して無線モジュール３２０に送信する。制御回路３３０は、この制御信号に基づいてリレー制御信号を生成してスイッチ４２１の開閉を反転する。このようにして、操作スイッチ１０１の操作に応じて照明器具４−１が点消灯制御される。なお、操作スイッチ１０２の操作に対するスイッチ４２２の開閉反転及び照明器具４−２の点消灯制御も上記と同様である。操作信号と制御信号の関係性については、第３の実施形態の照明スイッチシステムの説明において後述する。
【００４５】
また、センサ素子３１５が、照明器具４−１又は４−２の照明空間に対応する検知エリアにおいて人体を検知したものとする。この場合、センサ素子３１５は、人体を検知したことを示す検知信号（在信号）を制御回路３３０に出力する。制御回路３３０は、無線モジュール３２０からＷｉ−Ｆｉルータを介して所定のサーバに検知信号（在信号）を転送させる。これに応じて、当該サーバは、検知信号に対応する制御信号を生成してそれをＷｉ−Ｆｉルータを介して無線モジュール３２０に送信する。制御回路３３０は、この制御信号に基づいてリレー制御信号を生成してスイッチ４２１又は４２２の開閉を制御する。このようにして、センサ素子３１５の検知結果に応じて照明器具４−１又は４−２が点消灯制御される。あるいは、検知信号は、サーバにおいて、単に宅内ユーザの在／不在の情報又は在の場合にはその現在位置を取得するための信号として利用されてもよい（この場合、制御信号は生成されない）。検知信号と制御信号の関係性については、第３の実施形態の照明スイッチシステムの説明において後述する。
【００４６】
なお、本実施形態では、センサ素子３１５（センサユニット１０５）の検知エリアは照明器具４−１及び４−２の照明範囲に対応する領域であるものとして説明するが、この検知エリアは、照明器具４−１の照明範囲のみに対応する領域であってもよいし、照明器具４−２の照明範囲のみに対応する領域であってもよい。あるいは、検知エリアが２つの検知エリアに分割され、一方の検知エリアが照明器具４−１の照明範囲に対応する領域であり、他方の検知エリアが照明器具４−２の照明範囲に対応する領域であってもよい。
【００４７】
また、操作スイッチ１０１若しくは１０２の操作又はセンサ素子３１５の検知動作とは無関係に、無線モジュール３２０が上記の所定のサーバからＷｉ−Ｆｉルータを介して制御信号を受信した場合も、制御回路３３０はこの制御信号に基づいてリレー制御信号を生成してスイッチ４２１又は４２２を制御する。この場合の制御信号の生成については、第３の実施形態の照明スイッチシステムの説明において後述する。
【００４８】
以上のように、本発明の照明スイッチ回路１０は、操作スイッチ１０１、１０２に対応して配置されたスイッチ素子３１１、３１２又はセンサユニット１０５に対応して配置されたセンサ素子３１５と、操作スイッチ１０１、１０２の操作に応じてスイッチ素子３１１、３１２から出力される操作信号又はセンサ素子３１５から出力される検知信号を無線ＬＡＮルータ３に無線送信するとともに制御信号を無線ＬＡＮルータ３から無線受信する無線モジュール３２０と、制御信号に基づいてリレー制御信号を出力する制御回路３３０と、交流電源ＡＣから直流電圧を生成してその直流電圧を無線モジュール３２０及び制御回路３３０に供給するＡＣ／ＤＣコンバータ４１０と、交流電源ＡＣから照明器具４への給電線を開閉するリレースイッチ４２０と、リレー制御信号に応じて直流電圧を用いてリレースイッチ４２０を開閉するリレー駆動回路４３０とを備える。また、本発明の照明スイッチ２は、照明スイッチ回路１０と、スイッチプレート１００、操作スイッチ１０１、１０２並びにセンサユニット１０５を含む前面パネルＰと、照明スイッチ回路１０と前面パネルＰとを壁面Ｗに取り付けるための取付部材Ａとを備える。
【００４９】
このように、照明スイッチ回路１０及び照明スイッチ２によると、無線モジュール３２０によって受信される制御信号に応じてリレースイッチ４１０が照明器具４への給電線を開閉するように構成される。したがって、既設又は既存の照明器具への変更を要さずに既存の照明スイッチ回路と互換可能な多機能型の照明スイッチ回路１０及び照明スイッチ２が実現される。
【００５０】
ここで、照明スイッチ回路１０は、スイッチプレート１００の背面側に配置されるケース２００と、スイッチ素子３１１、３１２又はセンサ素子３１５、無線モジュール３２０及び制御回路３３０が実装された制御基板３００と、ＡＣ／ＤＣコンバータ４１０、リレースイッチ４２０及びリレー駆動回路４３０が実装された電源基板４００と、給電線を電源基板に接続する接続端子５１０及び５１５が実装されたコネクタ基板５００とを備え、制御基板３００、電源基板４００及びコネクタ基板５００がケース２００内で積層される。これにより、各回路及び各基板の効率的な配置が可能となり、無線通信機能などの付加機能に伴う照明スイッチ回路１０の大型化が抑制され、一般的なスイッチ回路との互換性がより確保される。
【００５１】
また、本実施形態では、スイッチプレート１００から近い順に、制御基板３００、電源基板４００及びコネクタ基板５００が配置される。上述したように、電源基板４００は制御基板３００及びコネクタ基板５００に直接に配線接続される必要があるが、制御基板３００とコネクタ基板５００とは直接に配線接続される必要はない。したがって、上記積層順とすることによって接続配線の引回しが最適化され、高い施工性の照明スイッチ回路１０及び照明スイッチ２が実現される。
【００５２】
また、制御基板３００が、スイッチ素子３１１、３１２及びセンサ素子３１５が実装された前面３０１（第１の基板面）及びその背面３０２（第２の基板面）を有し、無線モジュール３２０及び制御回路３３０が背面３０２に設けられる。これにより、制御基板３００における効率的な部品配置が可能となる。また、無線モジュール３２０はＷｉ−ＦｉＳｏＣであり、センサユニット１０５は人感センサである。これらにより、照明スイッチ回路１０及び照明スイッチ２の高い汎用性が得られる。
【００５３】
またさらに、照明スイッチ２は、前面パネルＰに設けられた発光可能なインジケータ１０７を備え、無線モジュール３２０と無線ＬＡＮルータとの間の無線通信接続が確立されている場合と、無線通信接続が確立されていない場合との間で、制御回路３３０がインジケータ１０７の点消灯状態を異ならせるように構成される。これにより、無線通信接続状態（Ｗｉ−Ｆｉ接続状態）の容易な確認が可能となり、施工作業者及び照明ユーザにおいて、無線通信状態の確認作業が効率化される。
【００５４】
＜第２の実施形態＞
上記第１の実施形態では、スイッチパネル１００側から制御基板３００、電源基板４００及びコネクタ基板５００が積層される構成を示したが、本実施形態では、スイッチパネル１００側から制御基板３００、コネクタ基板５００及び電源基板４００が積層される構成を示す。
【００５５】
図６に本実施形態による照明スイッチ回路１０の内部構成を示し、図７に本実施形態による照明スイッチ２の側面の部分透視図を示す。本実施形態において、第１の実施形態と実質的に同じ構成には同じ符号を付し、その重複する説明を省略又は簡略化する。第１の実施形態における図１の前面図、図４（ｂ）の制御基板３００の平面図、図４（ｃ）の電源基板４００の平面図、図５の回路図などに現れる部分は、本実施形態においても同様である。
【００５６】
図６に示すように、ケース２５０の内部において、前面側から、制御基板３００、コネクタ基板５００及び電源基板４００が、この順序で積層される。各基板の前面及び背面の使い分けは、第１の実施形態のものと同様である。すなわち、制御基板３００の前面３０１（第１の基板面）にマイクロスイッチ３１１及び３１２並びにセンサ素子３１５が配置され、背面３０２に無線モジュール３２０及び制御回路３３０が配置される。コネクタ基板５００の背面５０２に接続端子５１０及び５１５が配置される。電源基板４００の前面４０１にＡＣ／ＤＣコンバータ４１０及びリレー駆動回路４３０の面実装部品（ＩＣなど）が実装され、背面４０２にＡＣ／ＤＣコンバータ４１０及びリレー駆動回路４３０のディスクリート部品（トランスＴ、コンデンサＣ、ヒューズＦなど）並びにリレースイッチ４２０が実装される。
【００５７】
なお、本実施形態においても、第１の実施形態と同様に、前面４０１と背面４０２の配置は逆であってもよい。すなわち、前面４０１にＡＣ／ＤＣコンバータ４１０及びリレー駆動回路４３０のディスクリート部品並びにリレースイッチ４２０が実装され、背面４０２にＡＣ／ＤＣコンバータ４１０及びリレー駆動回路４３０の面実装部品が実装されてもよい。また、コネクタ基板５００において、前面５０１と背面５０２の配置は逆であってもよい。すなわち、前面５０１に接続端子５１０及び５１５が実装されてもよい。
【００５８】
ケース２５０は、樹脂又は金属の筐体であり、第１の実施形態のケース２００に代替される。すなわち、図７に示すように、ケース２５０は、ケース２００と同様に、前面パネルＰと鋼製ボックス１２０とで画定される空間に収容される。不図示であるが、ケース２５０の側面及び鋼製ボックス１２０の側面において、コネクタ基板５００（特に接続端子５１０及び５１５）に対応する位置に給電線Ｌ及びＮの引込み孔並びに給電線Ｌ１及びＬ２（さらに必要に応じて給電線Ｎ）の引出し孔が設けられる。そして、本実施形態では、ケース２５０は第１の実施形態のケース２００と同様に本体部と蓋部からなるが、ケース２５０の施工性、ケース２５０の製造コストなどの観点から、その本体部は、ケース２００のように主収容部並びに配線引き込み部及び配線引き出し部からなるのではなく、１つの直方体で構成され得る。
【００５９】
ここで、無線モジュール３２０及び制御回路３３０は、それぞれの信頼性確保の観点から、高温下に曝されないことが好ましい。照明スイッチ回路１０における主な発熱源は、ＡＣ／ＤＣコンバータ４１０（特に、トランスＴ、トランジスタなど）である。また、無線モジュール３２０及び制御回路３３０は、第１の実施形態において上述したように制御基板３００の背面３０２に配置される必要がある。したがって、ＡＣ／ＤＣコンバータ４１０から制御基板３００の背面３０２への熱伝導（主に輻射熱）が低減されることが好ましい。また、ＡＣ／ＤＣコンバータ４１０自体についても、その信頼性確保の観点から発熱が低減されることが好ましい。
【００６０】
そこで、本実施形態では、電源基板４００が、３枚の基板の中で最も鋼製ボックス１２０の底面１２５に近い基板として配置される。これにより、電源基板４００と制御基板３００との離隔距離が最大化されるので、ＡＣ／ＤＣコンバータ４１０から制御基板３００の背面３０２への輻射熱が軽減される。さらに、電源基板４００と制御基板３００との間にコネクタ基板５００が介在することによっても、ＡＣ／ＤＣコンバータ４１０から制御基板３００の背面３０２への輻射熱が軽減される。また、電源基板４００が、ケース２５０の中で外側に配置されることにより、ＡＣ／ＤＣコンバータ４１０の放熱性も高まる。
【００６１】
またさらに、コネクタ基板５００において金属部が露出していない場合には、コネクタ基板５００自体が制御基板３００と電源基板４００の間の絶縁体として機能し得る。したがって、制御基板３００の背面３０２側又は電源基板４００の前面４０１側に絶縁シートが配置される必要がなく、照明スイッチ回路１０のコストが低減し得る。ただし、電源基板４００（例えば前面４０１）には、制御基板３００（例えば背面３０２）との信号入出力のための適宜の配線（不図示）及びコネクタ基板５００からの給電線（不図示）並びに必要に応じてコネクタが接続されるものとする。したがって、制御基板３００と電源基板４００とを接続する配線がコネクタ基板５００を貫通又は迂回する必要がある点に留意が必要である。
【００６２】
以上のように、本実施形態の照明スイッチ回路１０及び照明スイッチ２では、スイッチプレート１００から近い順に、制御基板３００、コネクタ基板５００及び電源基板４００が配置される。これにより、制御基板３００の無線モジュール３２０及び制御回路３３０と、発熱源である電源基板４００のＡＣ／ＤＣコンバータ４１０との離隔距離が最大化されるとともに、その間にコネクタ基板５００が介在する。したがって、電源基板４００から制御基板３００への輻射熱が低減され、無線モジュール３２０及び制御回路３３０の信頼性が一層確保される。また、電源基板４００が、ケース２５０内で最外部に配置されることにより、ＡＣ／ＤＣコンバータ４１０の放熱性が向上して温度上昇が抑制され、電源基板４００の温度上昇が抑制されてその信頼性が一層確保される。
【００６３】
＜第３の実施形態＞
本実施形態では、第１又は第２の実施形態の照明スイッチ２を用いた照明スイッチシステムを示す。図８に、本実施形態による照明スイッチシステム１のブロック図を示す。
【００６４】
図８に示すように、照明スイッチシステム１は、照明スイッチ２−１〜２−ｍ、無線ＬＡＮルータ３、照明器具４−１〜４−ｎ、クラウドサーバ５及び制御端末６を含む。照明スイッチシステム１のうち、照明スイッチ２−１〜２−ｍ、無線ＬＡＮルータ３及び照明器具４−１〜４−ｎは住宅Ｈ内に配置され、これらを宅内ユニットというものとする。制御端末６は住宅Ｈの内部（すなわち宅内）に存在する場合もあれば、住宅Ｈの外部（すなわち外出先などの宅外）に存在する場合もある。実際には、１つのクラウドサーバ５に対して多数の宅内ユニット及び制御端末６が存在することが想定されているが、本実施形態では説明のために１組の宅内ユニット及び制御端末６に関して説明する。
【００６５】
第１及び第２の実施形態において上述したように、照明スイッチ２は、照明用の壁スイッチとして宅内に配置される。照明スイッチ２は、給電線Ｌ及びＮを介して商用電源などの交流電源ＡＣに接続されるとともに、給電線Ｌ１及びＮを介して照明器具４−１に接続され、給電線Ｌ２及びＮを介して照明器具４−２に接続される。以下の説明において、照明スイッチ２−１〜２−ｍを総称して又はいずれか１つを代表して照明スイッチ２というものとし、各照明スイッチ２は実質的に同じ機能ブロックを有するものとする。また、照明器具４−１〜４−ｎを総称して又はいずれか１つを代表して照明器具４というものとする。なお、各照明器具４は、それぞれ点灯装置とそれによって点灯される光源を有するものとする。また、宅内に存在する場合の制御端末６を宅内制御端末６といい、宅外に存在する場合の制御端末６を宅外制御端末６というものとする。
【００６６】
照明スイッチ２は、スイッチ部２１及び２２、センサ部２３、無線通信回路２４、制御回路２５、ＡＣ／ＤＣコンバータ２６並びにリレー回路２７を含む。なお、スイッチ部２１及び２２並びにセンサ部２３をまとめてスイッチ／センサ部２０という。スイッチ部２１は第１及び第２の実施形態の操作パネル１０１及びスイッチ素子（マイクロスイッチ）３１１に対応し、スイッチ部２２は第１及び第２の実施形態の操作パネル１０２及びスイッチ素子（マイクロスイッチ）３１２に対応する。センサ部２３は、第１及び第２の実施形態のセンサユニット１０５及びセンサ素子３１５に対応する。また、無線通信回路２４は第１及び第２の実施形態の無線モジュール３２０に対応し、制御回路２５は第１及び第２の実施形態の制御回路３３０に対応する。ＡＣ／ＤＣコンバータ２６は第１及び第２の実施形態のＡＣ／ＤＣコンバータ４１０に対応し、リレー回路２７は第１及び第２の実施形態のリレースイッチ４２０及びリレー駆動回路４３０に対応する。
【００６７】
スイッチ部２１及び２２の各々は、ユーザの押下操作を検知すると、操作信号を制御回路２５に出力する。スイッチ部２１及び２２における操作は、それぞれ照明器具４−１及び４−２の点消灯に対応する。センサ部２３は、本実施形態でも人感センサである。センサ部２３は、所定の検知エリアにおける人体の在／不在を検出する。センサ部２３の人感センサは、例えば、焦電型赤外線センサ、ＣＣＤイメージセンサ又はマイクロ波センサなどであり、検知エリアにおける人体の存在を検知すると在信号を制御回路２５に出力し、それ以外の場合（すなわち、人体が不在の場合）には不在信号を制御回路２５に出力する。なお、在信号／不在信号は、それぞれハイレベル信号／ローレベル信号であってもよいし、ローレベル信号／ハイレベル信号であってもよいし、信号出力有り／無し、信号出力無し／有りであってもよいし、ＵＡＲＴ信号であってもよい。本開示において、在信号／不在信号をまとめて検知信号というものとする。
【００６８】
センサ部２３の検知エリアは、照明スイッチ２の周辺領域である。あるいは、検知エリアは、照明器具４−１の照明範囲に対応する領域であってもよいし、照明器具４−２の照明範囲に対応する領域であってもよいし、照明器具４−１及び４−２の照明範囲に対応する領域であってもよい。あるいは、検知エリアが２つの検知エリアに分割され、一方の検知エリアが照明器具４−１の照明範囲に対応する領域であり、他方の検知エリアが照明器具４−２の照明範囲に対応する領域であるように構成されてもよい。本実施形態では、説明のため、センサ部２３の検知エリアは照明器具４−１及び４−２の照明範囲に対応する領域であるものとする。  
【００６９】
無線通信回路２４は、制御回路２５の通信制御の下で無線ＬＡＮルータ３と無線通信する。具体的には、無線通信回路２４は、本実施形態ではＷｉ−Ｆｉ通信を行うためのＷｉ−ＦｉＳｏＣである。
【００７０】
制御回路２５は、スイッチ部２１及び２２からの操作信号並びにセンサ部２３からの検知信号を無線通信回路２４から無線ＬＡＮルータ３に無線送信させる。なお、検知信号は、検知結果の変化（不在から在への変化又はその逆）があった場合にのみ送信されるようにしてもよいし、周期的に送信されるようにしてもよい。また、制御回路２５は、無線ＬＡＮルータ３から無線通信回路２４を介して受信された制御信号に対応するリレー制御信号を生成してそれをリレー回路２７に出力する。また、制御回路２５は、無線ＬＡＮルータ３に無線送信する操作信号に、現在のリレー制御信号の状態を示すリレー状態情報を含めてもよい。
【００７１】
ＡＣ／ＤＣコンバータ２６は、給電線Ｌ及びＮから入力される交流電圧を所定値の直流電圧に変換する。この直流電圧から、無線通信回路２４及び制御回路２５の動作電源、リレー回路２７の駆動電源などが生成される。
【００７２】
リレー回路２７は、制御回路２５からのリレー制御信号に応じて給電線Ｌと給電線Ｌ１の間の開閉及び給電線Ｌと給電線Ｌ２の間の開閉を行う。なお、不図示であるが、給電線Ｎは、交流電源ＡＣから照明器具４−１及び４−２に直接的に接続される（図５参照）。
【００７３】
無線ＬＡＮルータ３は、照明スイッチ２（無線通信回路２４）及び制御端末６（通信部６１）と無線接続可能に構成され、インターネットなどの通信ネットワークＮを介してクラウドサーバ５（通信部５１）と通信可能に構成される。無線ＬＡＮルータ３と照明スイッチ２及び制御端末６とは、Ｗｉ−Ｆｉ通信によって接続される。すなわち、無線ＬＡＮルータ３は、無線通信回路２４のＷｉ−ＦｉＳｏＣとＷｉ−Ｆｉ通信可能なＷｉ−Ｆｉルータである。なお、各照明器具４は、Ｗｉ−Ｆｉ未対応であるものとする。無線ＬＡＮルータ３とクラウドサーバ５とは３Ｇ、４Ｇ、ＬＴＥなどによって接続され、必要に応じて無線ＬＡＮルータ３と通信ネットワークＮとの間にモデムが接続されてもよい。
【００７４】
照明器具４−１は、点灯装置４１ａ及び光源４２ａを含む。点灯装置４１ａの一方の入力端は交流電源ＡＣの配線Ｌにリレー回路２７及び給電線Ｌ１を介して接続され、他方の入力端は交流電源ＡＣの配線Ｎ（接地側）に直接接続される。同様に、照明器具４−２は、点灯装置４１ｂ及び光源４２ｂを含む。点灯装置４１ｂの一方の入力端は交流電源ＡＣの配線Ｌにリレー回路２７及び給電線Ｌ２を介して接続され、他方の入力端は交流電源ＡＣの配線Ｎ（接地側）に直接接続される。
【００７５】
点灯装置４１ａ及び４１ｂは、一般的な照明用安定器であり、交流電源ＡＣからの入力交流電圧を所定の出力電流に変換してその出力電流を光源４２ａ及び４２ｂにそれぞれ供給する。例えば、光源４２ａがＬＥＤである場合、点灯装置４１ａは整流回路及びＤＣ／ＤＣコンバータを備える電子安定器である。また、光源４２ａが放電灯である場合、点灯装置４１ａは整流回路及びＤＣ／ＡＣコンバータを備える電子安定器又は銅鉄コイルを備える磁気式安定器である。また、点灯装置４１ａと光源４２ａは一体化されて電球形照明器具を形成してもよい。照明器具４−１についての上記説明は照明器具４−２についても当てはまるが、照明器具４−２は照明器具４−１と同種であっても異種であってもよい。
【００７６】
なお、照明器具４の接続数ｎは、照明スイッチ２の設置数ｍの２倍になるとは限らない。例えば、照明スイッチ２−３及び２−４に接続された照明器具４−６のように、複数の照明スイッチ２によって点消灯される照明器具４が設置され得る。また、照明スイッチ２−ｍに照明器具４−ｎのみが接続されるように、照明スイッチ２の２つのスイッチ部のうちの一方が使用されない場合もある。あるいは、変形例として後述するように、照明スイッチ２に設けられるスイッチ部は２つとは限らない。
【００７７】
クラウドサーバ５は、通信部５１、記憶部５２、処理部５３、照明制御部５４、点消灯取得部５５、監視通知部５６及び在不在取得部５７を備える。これらの各部は相互に信号及びデータのやり取りが可能な態様で接続されているものとする。通信部５１は、一般的な通信装置であればよく、無線ＬＡＮルータ３及び制御端末６と通信ネットワークＮを介して通信可能であればよい。
【００７８】
記憶部５２には、各受信信号及び送信信号に含まれるアドレスと、各照明スイッチ２と、各照明器具４との対応関係が予め記憶されている。さらに、記憶部５２には、センサ部２３の各々に対応する検出エリアを示す検出エリア情報が記憶される。また、記憶部５２は、データベースとして機能し、大量のデータをビックデータとして蓄積することができる。このビックデータには、通信部５１で受信された操作信号、検知信号、後述の制御指令信号、後述の各種状態信号、後述の各種要求信号の全ての記録（すなわちログ）が含まれ得る。さらに、ビックデータには、通信部５１から送信された制御信号、後述の各種問合せ信号、後述の現状通知信号、後述の監視通知信号及び後述の各種通知信号の全てのログも含まれ得る。例えば、ログは、操作信号の記録である操作ログ、検知信号の記録である検知ログ、制御信号の記録である制御ログなどを含み得る。
【００７９】
処理部５３はＣＰＵなどで構成され、クラウドサーバ５内の各部の統括制御、通信部５１の通信制御など、一般的なクラウドサーバの処理機能を実行し得る。言い換えると、処理部５３は、照明制御部５４、点消灯取得部５５、監視通知部５６及び在不在取得部５７の機能以外の各種機能を実行し得る。また、処理部５３は、記憶部５２に蓄積されたビックデータの個数処理など、統計的処理を行うことができる。
【００８０】
照明制御部５４は、各照明器具４の点消灯を照明スイッチ２に制御させるための制御信号を生成する。照明スイッチ２又は宅内制御端末６から無線ＬＡＮルータ３を介して受信される操作信号、検知信号又は制御指令信号に基づいて照明器具４の点消灯を制御するための制御信号を生成する。なお、無線ＬＡＮルータ３を通過する操作信号及び検知信号を制御指令信号とみなしてもよい。また、照明制御部５４は、宅外制御端末６から受信される制御指令信号に基づいて照明器具４の点消灯を制御するための制御信号を生成する。受信信号と各照明器具４との対応関係は、記憶部５２に記憶されているものとする。照明制御部５４で生成された制御信号は、通信部５１から無線ＬＡＮルータ３を介して照明スイッチ２に送信される。
【００８１】
受信信号が操作信号である場合には、対応する照明器具４の点消灯が反転される。操作信号がスイッチ部２１の押下を示す場合、照明制御部５４は、照明器具４−１の点消灯状態を反転させるための制御信号を生成する。あるいは、照明制御部５４は、スイッチ部２１に対応する照明器具４−１の現状の点消灯状態を記憶部５２から取得し、現状の点消灯状態を反転させる制御信号を生成してもよい。各照明器具４の現状の点消灯状態は、照明制御部５４がこれまでに生成した制御信号に基づくものとなる。あるいは、操作信号がリレー状態情報を含む場合には、各照明器具４の現状の点消灯状態はリレー状態情報に基づき得る。そして、生成された制御信号は、無線ＬＡＮルータ３を介して照明スイッチ２−１に送信される。
【００８２】
これにより、例えば、１つの照明器具４−６を制御する２つの照明スイッチ２−３及び２−４において、照明スイッチ２−３による照明器具４−６の点消灯操作とスイッチ２−４による照明器具４−６の点消灯操作の整合をクラウドサーバ５上で管理することができる。例えば、交流電源ＡＣから照明器具４−６への給電線が、照明スイッチ２−３及び２−４の双方において開状態（リレーＯＦＦ状態）であることにより、照明器具４−６が消灯状態にある場合を想定する。ここで、照明スイッチ２−４から操作信号が送信された場合、照明制御部５４は照明スイッチ２−４にリレースイッチを閉状態（リレーＯＮ状態）にするための制御信号を生成する。これにより、照明器具４−６の点消灯状態が消灯から点灯に反転する。ここで、この状態（すなわち、照明スイッチ２−３が開状態（リレーＯＦＦ状態）にあり、照明スイッチ２−４が閉状態（リレーＯＮ状態）にあることにより、照明器具４−６が点灯状態にある場合）において、照明スイッチ２−３又は２−４のいずれから操作信号が送信された場合においても、照明制御部５４は照明スイッチ２−４を開状態（リレーＯＦＦ状態）にするための制御信号を生成する。これにより、照明器具４−６の点消灯状態が点灯から消灯に反転される。
【００８３】
したがって、本実施形態の構成によると、従来では照明スイッチ２−３と照明スイッチ２−４の間に必要であったスイッチ間配線（照明器具４−６の点灯又は消灯の別を照明スイッチ間の相互で認識するための配線）が不要であり、宅内ユニットの施工性が向上する。
【００８４】
受信信号が検知信号の場合には、在信号／不在信号に応じて対応の照明器具４の点消灯が決定される。検知信号が在信号である場合、照明制御部５４は、照明器具４−１及び４−２を点灯するための制御信号を生成する。また、検知信号が不在信号である場合、照明制御部５４は、受信される検知信号が在信号から不在信号に変化してから所定時間経過後（例えば、数秒後）に照明器具４−１及び４−２を消灯するための制御信号を生成する。上記所定時間は、任意に設定可能であり、又は複数の所定時間からの選択により設定可能である。この所定時間は、照明スイッチ２ごとに設定可能であることが好ましい。この所定時間は、照明スイッチ２の施工時にその内部回路（例えば、制御基板３００に実装されたボリューム抵抗、ディップスイッチなど）の調整によって設定されてもよいし、照明スイッチ２の施工後にクラウドサーバ５から遠隔で設定されるようにしてもよい。
【００８５】
また、検知信号は宅内ユーザの在／不在の判別のみに使用されてもよく、この場合には照明制御部５４は検知信号に対して動作しない。あるいは、照明制御部５４は、夜間のみ検知信号に基づいて制御信号を生成し、昼間は制御信号を生成しないように（例えば、宅内ユーザの在／不在の判別のみに使用されるように）構成されてもよい。なお、夜間／昼間の定義は、固定の時間設定によるものであってもよいし、カレンダーに基づいて季節によって変動するものであってもよいし、別途の照度センサ（室内明るさセンサ）の検知結果と照度閾値との比較によって決定されるものであってもよい。そして、生成された制御信号は、無線ＬＡＮルータ３を介して照明スイッチ２−１に送信される。このような検知信号に対する制御信号の有効化／無効化については、日、曜日、週、月、四半期、半年などの単位でのスケジューリングが可能であり、複数の照明スイッチ２に対する一括したスケジューリングも可能である。
【００８６】
受信信号が制御指令信号である場合には、制御指令信号の指令内容（点灯指令又は消灯指令）に応じて対応の照明器具４の点消灯が決定される。例えば、制御指令信号が照明器具４−１の点灯指令の場合には、照明制御部５４は、照明器具４−１の現状の点消灯状態にかかわらず、照明器具４−１を点灯するための制御信号を生成する。逆に、制御指令信号が照明器具４−１の消灯指令の場合には、照明制御部５４は、照明器具４−１の現状の点消灯状態にかかわらず、照明器具４−１を消灯するための制御信号を生成する。そして、生成された制御信号は、無線ＬＡＮルータ３を介して照明スイッチ２−１に送信される。
【００８７】
点消灯取得部５５は、制御端末６（特に宅外制御端末６）からの現状要求信号を受信すると、各照明器具４の点消灯状態を宅外制御端末６に通知するための現状通知信号を生成する。点消灯取得部５５は、記憶部５２に記憶されている過去ログ（操作ログ、検知ログ又は制御ログ）に基づいて現状通知信号を生成する。
【００８８】
あるいは、点消灯取得部５５は、照明スイッチ２の制御回路２５が現在出力しているリレー制御信号の状態を問い合わせるためのリレー問合せ信号を無線ＬＡＮルータ３を介して各照明スイッチ２に送信するように構成されてもよい。各照明スイッチ２の制御回路２５は、このリレー問合せ信号に応じて、現在のリレー制御信号の状態又はリレー開閉状態を示すリレー状態信号を無線通信回路２４から無線ＬＡＮルータ３を介してクラウドサーバ５に送信する。点消灯取得部５５は、このリレー状態信号に基づいて現状通知信号を生成することができる。
【００８９】
このように過去ログの利用又はリレー問合せ／状態信号の利用により、点消灯取得部５５は、宅内の各照明器具４の現状の点消灯状態を取得して現状通知信号を生成する。この現状通知信号は、通信部５１から通信ネットワークＮを介して制御端末６に送信される。これにより、ユーザは現状の点消灯状態を把握してから、制御すべき照明器具４の点消灯を決定することができる。過去ログが利用される場合にはクラウドサーバ５と無線ＬＡＮルータ３の間の通信量の増加が回避され、リレー問合せ信号／状態信号が利用される場合にはクラウドサーバ５（記憶部５２）の記憶容量の増加が回避され得る。また、リレー問合せ信号／状態信号が利用される場合には、住宅Ｈの停電又は無線ＬＡＮルータ３の前後での通信障害が発生した場合でも、クラウドサーバ５において操作ログの整合性が維持又は回復可能となる。
【００９０】
監視通知部５６は、記憶部５２に記憶される検知エリア情報を参照して、現在又は過去の検知信号又はその変化に基づく宅内ユーザの現在位置を示す現在位置情報を取得し、現在位置情報を示す監視通知信号を生成する、監視通知信号は、通信部５１から宅外制御端末６（携帯端末）に送信される。この監視通知信号の生成は、制御端末６から受信される監視要求信号に応じて行われてもよいし、周期的に行われてもよいし、検知信号の変化に応じて行われてもよい。
【００９１】
あるいは、在不在取得部５７が、照明スイッチ２の制御回路２５に現在入力されている検知信号の状態を問い合わせるためのセンサ問合せ信号を無線ＬＡＮルータ３を介して各照明スイッチ２に送信するように構成されてもよい。各照明スイッチ２の制御回路２５は、このセンサ問合せ信号に応じて、現在の検知信号の状態を示すセンサ状態信号を無線通信回路２４から無線ＬＡＮルータ３を介してクラウドサーバ５に送信する。監視通知部５６は、このセンサ状態信号に基づいて監視通知信号を生成することができる。これにより、監視通知信号の網羅性及びリアルタイム性が向上し得る。なお、センサ問合せ信号は、監視要求信号に応じて送信されてもよいし、周期的に送信されてもよい。
【００９２】
制御端末６は、例えば、スマートフォン又はタブレットなどの携帯端末であってもよいし、ユーザの音声を認識して認識結果に応じて所定の無線信号（Ｗｉ−Ｆｉ信号）を出力する音声命令装置などのＡＰＩ機器であってもよい。制御端末６は、通信部６１、ＣＰＵ６２、メモリ６３及び入出力インターフェース（Ｉ／Ｆ）６４を備える。通信部６１は、無線ＬＡＮルータ３及びクラウドサーバ５（通信ネットワークＮ及び通信部５１）と通信可能な一般的な通信手段であればよい。ＣＰＵ６２及びメモリ６３は、一般的なコンピュータを構成するプロセッサ及びメモリであり、メモリ６３には必要なアプリケーションのプログラムが既にインストールされているものとし、ＣＰＵ６２はそのプログラムを実行可能であるものとする。制御端末６が携帯端末である場合、入出力Ｉ／Ｆ６４は、タッチパネルからなる表示画面６４ａである。また、制御端末６がＡＰＩ機器である場合、入出力Ｉ／Ｆ６４はマイク、スピーカなどのオーディオデバイス６４ｂである。
【００９３】
制御端末６は、所定のアプリケーションにおいて制御指令信号、現状要求信号及び監視要求信号を送信することができ、現状通知信号、監視通知信号、その他の各種通知信号などを受信することができる。制御指令信号は、上述したように、ユーザが各照明器具４の点消灯を制御する際に使用される信号である。なお、制御指令信号は、ユーザによる制御端末６のマニュアル操作に従って送信されるものであってもよいし、ユーザが制御端末６において予め設定されたスケジュール（タイマ設定）に従って送信されるものであってもよい。宅内制御端末６とクラウドサーバ５との間で送受信される上記各信号は、無線ＬＡＮルータ３及び通信ネットワークＮを介して転送される。宅外制御端末６とクラウドサーバ５との間で送受信される上記各信号は、通信ネットワークＮを介して直接的に通信される。
【００９４】
制御端末６が現状通知信号を受信した場合、ＣＰＵ６２は、所定のアプリケーションにおいて、現状通知信号に示される照明器具４−１〜４−ｎの現状の点消灯状態を入出力Ｉ／Ｆ６４である表示画面６４ａに表示させることができる。例えば、表示画面６４ａにおいて、宅内の地図表示（すなわち、間取り図）に現状の点消灯状態を示す表示が重ねられて表示される。これにより、制御端末６のユーザは、現状の点消灯状態を直感的に把握することができる。また、表示画面６４ａにおいて、宅内の部屋の名称と、それに対応する現状の点消灯状態とがテキストによってリスト表示されてもよい。これにより、現状の点消灯状態の一覧性が高まる。
【００９５】
制御端末６が監視通知信号を受信した場合、ＣＰＵ６２は、所定のアプリケーションにおいて、監視通知信号に示される宅内ユーザの現在位置を入出力Ｉ／Ｆ６４である表示画面６４ａに表示させることができる。例えば、表示画面６４ａにおいて、宅内の地図表示（すなわち、間取り図）に宅内ユーザの現在位置を示す表示が重ねられて表示される。これにより、宅外ユーザは、宅内ユーザの現在位置を直感的に把握することができる。また、表示画面６４ａにおいて、宅内ユーザの現在位置がテキスト表示されてもよい。これにより、宅内ユーザの現在位置が大きな文字で表示可能となり、その視認性が向上する。あるいは、宅内ユーザの現在位置のテキスト表示が、他の情報を表示する画面とともに別途の領域に表示されてもよく、これにより表示画面６４ａにおける情報性が維持される。
【００９６】
照明スイッチシステム１によると、以下の種々の機能（１）スイッチ操作／検知機能、（２）宅内遠隔操作機能、（３）宅外遠隔操作機能、（４）宅内ユーザ見守り機能などが実現される。図９〜図１２に、上記各機能の信号フロー図を示す。なお、各図において、無線ＬＡＮルータ３及び制御端末６とクラウドサーバ５との間に存在する通信ネットワークＮの図示は、省略されている。また、各図において単一の照明スイッチ２が示される場合でも、同様の処理が複数の照明スイッチ２に対して成り立つ。
【００９７】
（１）スイッチ操作／検知機能
図９は、照明スイッチシステム１におけるスイッチ操作／検知機能、すなわち、宅内ユーザが直接的に照明スイッチ２に作用する場合の信号フローである。ここでは、スイッチ部２１若しくは２２が操作され、又はセンサ部２３によって検知エリアにおける人体の出入りが検知されるものとする。
【００９８】
ステップＳ１０において、照明スイッチ２（スイッチ／センサ部２０）が、操作信号又は検知信号を制御回路２５に出力する。
ステップＳ１１において、照明スイッチ２（制御回路２５及び無線通信回路２４）が操作信号又は検知信号を無線ＬＡＮルータ３に無線送信し、ステップＳ１２において、無線ＬＡＮルータ３が操作信号又は検知信号をクラウドサーバ５に送信する。
【００９９】
ステップＳ１３において、クラウドサーバ５（照明制御部５４及び記憶部５２）が、操作信号又は検知信号に応じた制御信号を生成する。
ステップＳ１４において、クラウドサーバ５（通信部５１）が制御信号を無線ＬＡＮルータ３に送信し、ステップＳ１５において、無線ＬＡＮルータ３が制御信号を照明スイッチ２（無線通信回路２４）に無線送信する。
ステップＳ１６において、照明スイッチ２（制御回路２５）が、制御信号に応じたリレー制御信号を生成する。これにより、リレー回路２７の開閉が制御され、対応の照明器具４が点灯又は消灯される。
【０１００】
また、ステップＳ１８において、クラウドサーバ５（処理部５３及び通信部５１）が、操作信号、検知信号又は制御信号に基づく情報を含む通知信号を制御端末６（特に、宅外制御端末６）に送信するように構成されてもよい。操作信号に基づく情報は、例えば、宅内のいずれの照明器具４に対する操作が行われたのかを示す。検知信号に基づく情報は、例えば、宅内のいずれの検知エリアにおいて人体の存在又は不在が検知されたのかを示す。制御信号に基づく情報は、例えば、いずれの照明器具４が点灯されたのか又は消灯されたのかを示す。
【０１０１】
（２）宅内遠隔操作機能
図１０は、照明スイッチシステム１における宅内遠隔操作機能、すなわち、宅内制御端末６から照明器具４を点消灯制御する機能を説明するフロー図である。ここでは、特に、ＡＰＩ機器である宅内制御端末６がユーザによって利用される状況が想定される。
【０１０２】
ステップＳ２０において、制御端末６がユーザ操作（オーディオデバイス６４ｂへの発声など）又はタイマ設定に応じて制御指令信号を無線ＬＡＮルータ３に送信し、ステップＳ２１において、無線ＬＡＮルータ３が制御指令信号をクラウドサーバ５に送信する。
【０１０３】
ステップＳ２２において、クラウドサーバ５（照明制御部５４及び記憶部５２）が、制御指令信号に応じた制御信号を生成する。
ステップＳ２３において、クラウドサーバ５（通信部５１）が制御信号を無線ＬＡＮルータ３に送信し、ステップＳ２４において、無線ＬＡＮルータ３が制御信号を照明スイッチ２（無線通信回路２４）に無線送信する。
【０１０４】
ステップＳ２５において、照明スイッチ２（制御回路２５）が、制御信号に応じたリレー制御信号を生成する。これにより、リレー回路２７の開閉が制御され、対応の照明器具４が点灯又は消灯される。
【０１０５】
（３）宅外遠隔操作機能
図１１は、照明スイッチシステム１における宅外遠隔操作機能、すなわち、宅外制御端末６から照明器具４を点消灯制御する機能を説明するフロー図である。ここでは、例えば、外出中のユーザが携帯端末から制御指令信号を発信する状況が想定される。なお、ステップＳ３０〜Ｓ３８は省略されてもよく、この場合、処理はステップＳ４０から始まる。
【０１０６】
ステップＳ３０において、制御端末６が、ユーザ操作又はタイマ設定に応じて現状要求信号をクラウドサーバ５に送信する。
ステップＳ３１において、クラウドサーバ５（点消灯取得部５５及び記憶部５２）が、記憶部５２に記憶されているログ（操作ログ、検知ログ又は制御ログ）に基づいて、照明器具４−１〜４−ｎの現状の点消灯状態を取得する。
【０１０７】
あるいは、ステップＳ３２において、クラウドサーバ５（点消灯取得部５５、記憶部５２及び通信部５１）が、リレー制御信号の状態を問い合わせるためのリレー問合せ信号を無線ＬＡＮルータ３に送信する。そして、ステップＳ３３において、無線ＬＡＮルータ３が、リレー問合せ信号を照明スイッチ２−１〜２−ｍに送信する。
これに応じて、ステップＳ３４において、照明スイッチ２−１〜２−ｍ（無線通信回路２４及び制御回路２５）が、現在のリレー制御信号の状態を示すリレー状態信号を無線ＬＡＮルータ３に送信する。そして、ステップＳ３５において、無線ＬＡＮルータ３が、リレー状態信号をクラウドサーバ５に送信する。
ステップＳ３６において、クラウドサーバ５（点消灯取得部５５）が、リレー状態信号に基づいて照明器具４−１〜４−ｎの現状の点消灯状態を取得する。
【０１０８】
ステップＳ３７において、クラウドサーバ５（点消灯取得部５５及び通信部５１）は、ステップＳ３１又はＳ３６で取得された現状の点消灯状態を示す現状通知信号を制御端末６に送信する。
ステップＳ３８において、制御端末６が、現状通知信号に応じた情報を入出力Ｉ／Ｆ６４（表示画面６４ａ）に表示する。これにより、ユーザは現状の点消灯状態を把握したうえで制御指令信号を決定することができる。
【０１０９】
ステップＳ４０において、制御端末６が、制御指令信号をクラウドサーバ５に送信する。
ステップＳ４１において、クラウドサーバ５（照明制御部５４）が、制御指令信号に応じた制御信号を生成する。
ステップＳ４２において、クラウドサーバ５（通信部５１）が制御信号を無線ＬＡＮルータ３に送信し、ステップＳ４３において、無線ＬＡＮルータ３が制御信号を照明スイッチ２に無線送信する。
また、ステップＳ４４において、クラウドサーバ５（処理部５３及び通信部５１）が、制御指令信号を受け付けた旨の通知信号（ＡＣＫ信号）を制御端末６に送信するように構成されてもよい。
【０１１０】
ステップＳ４５において、照明スイッチ２（制御回路２５）が、制御信号に応じたリレー制御信号を生成する。これにより、リレー回路２７の開閉が制御され、対応の照明器具４が点灯又は消灯される。
【０１１１】
（４）宅内ユーザ見守り機能
図１２は、照明スイッチシステム１における宅内ユーザ見守り機能、すなわち、携帯端末などの宅外制御端末６によって宅内ユーザの現在位置を監視する機能を説明するフロー図である。なお、監視対象の宅内ユーザとして、独居老人、留守番の子供、室内飼育のペットなどが例示される。また、広義の宅内ユーザとして、空き巣などの侵入者も含まれ得る。
【０１１２】
前提として、事前のステップＳ５０において、照明スイッチ２−１〜２−ｍのうちのｋ個（ｋ≦ｍ）が、検知信号を無線ＬＡＮルータ３に送信する。そして、ステップＳ５１において、無線ＬＡＮルータ３が、これらの検知信号をクラウドサーバ５に送信する。
【０１１３】
ステップＳ６０において、制御端末６が、ユーザ操作に応じて監視要求信号をクラウドサーバ５に送信する。クラウドサーバ５は、ステップＳ６７の前に、以下のステップＳ６１又はステップＳ６２〜Ｓ６６を実行する。
【０１１４】
ステップＳ６１において、クラウドサーバ５（監視通知部５６及び記憶部５２）が、監視要求信号に応じて、検知信号に基づいて、宅内ユーザの現在位置を示す監視通知信号を生成する。なお、クラウドサーバ５（監視通知部５６）は、定期的に、又は検知信号の変化に応じて、監視通知信号を生成するようにしてもよい。この場合、ステップＳ６０は省略され得る。
【０１１５】
あるいは、ステップＳ６２において、クラウドサーバ５（在不在取得部５７）が、監視要求信号に応じて、検知信号の状態を問い合わせるためのセンサ問合せ信号を照明スイッチ２−１〜２−ｍに無線送信する。そして、ステップＳ６３において、無線ＬＡＮルータ３が、センサ問合せ信号を照明スイッチ２−１〜２−ｍに無線送信する。
ステップＳ６４において、照明スイッチ２−１〜２−ｍ（制御回路２４）が、入力されている検知信号を示すセンサ状態信号を無線ＬＡＮルータ３に送信する。そして、ステップＳ６５において、無線ＬＡＮルータ３が、センサ状態信号をクラウドサーバ５に送信する。
ステップＳ６６において、クラウドサーバ５（監視通知部５６）が、受信されたセンサ状態信号が示す検知信号の状態に基づいて監視通知信号を生成する。
なお、ステップＳ６２〜Ｓ６６が実行される場合には、ステップＳ５０及びＳ５１は前提とならない。
【０１１６】
ステップＳ６７において、クラウドサーバ５（通信部５１）が、監視通知信号を制御端末６に送信する。
ステップＳ６８において、制御端末６が、監視通知信号に応じた情報、すなわち宅内ユーザの現在位置情報を入出力Ｉ／Ｆ６４（表示画面６４ａ）に表示する。なお、有効な検知信号がなく、現在位置情報が存在しない場合には、宅内ユーザが存在しない旨が表示され得る。
【０１１７】
以上のように、照明スイッチシステム１は、第１又は第２の実施形態の照明スイッチ２と、操作信号又は検知信号を無線モジュール３２０（無線通信回路２４）から無線受信するとともに制御信号を無線モジュール３２０（無線通信回路２４）に無線送信する無線ＬＡＮルータ３と、操作信号又は検知信号に応じて制御信号を生成する照明制御部５４及び操作信号又は検知信号を無線ＬＡＮルータ３から通信ネットワークＮを介して受信するとともに制御信号を通信ネットワークＮを介して無線ＬＡＮルータ３に送信する通信部５１を含むクラウドサーバ５とを備える。
【０１１８】
これにより、上記のように既設又は既存の照明器具への変更を要さずに既存の照明スイッチ回路と互換可能な多機能型の照明スイッチ２が用いられるので、導入容易な照明スイッチシステム１が実現される。
【０１１９】
ここで、通信部５１は、照明器具４の点消灯を指示する制御指令信号を宅内制御端末６から無線ＬＡＮルータ３及び通信ネットワークＮを介して受信し、照明制御部５４は、制御指令信号に対応する制御信号を生成するように構成され得る。これにより、宅内制御端末６及びクラウドを用いる遠隔操作機能を有するシステムとして、照明スイッチ２を利用して低コストな構成で宅内全域に容易に適用可能な照明スイッチシステム１が実現される。
【０１２０】
また、通信部５１は、照明器具４の点消灯を指示する制御指令信号を宅外制御端末６（携帯端末）から通信ネットワークＮを介して受信し、照明制御部５４は、制御指令信号に対応する制御信号を生成するように構成され得る。これにより、携帯端末及びクラウドを用いる遠隔操作機能を有するシステムとして、照明スイッチ２を利用して低コストな構成で宅内全域に容易に適用可能な照明スイッチシステム１が実現される。
【０１２１】
また、照明スイッチシステム１は、複数の第１又は第２の実施形態の照明スイッチ２と、検知信号を無線モジュール３２０（無線通信回路２４）から無線受信する無線ＬＡＮルータ３と、センサユニット１０５及びセンサ素子３１５を有する照明スイッチ２に対応する検知エリアを示す検知エリア情報を記憶する記憶部５２、検知エリア情報を参照して検知信号に対応する宅内の位置を示す現在位置情報を含む監視通知信号を生成する監視通知部５６及び検知信号を無線ＬＡＮルータ３から通信ネットワークＮを介して受信するとともに監視通知信号を通信ネットワークＮを介して携帯端末に送信する通信部５１を含むクラウドサーバ５とを備え得る。
【０１２２】
これにより、上述のように、既設又は既存の照明器具への変更を要さずに既存の照明スイッチ回路と互換可能な多機能型の照明スイッチ２が用いられるので、導入容易な照明スイッチシステム１が実現される。特に、クラウド及び携帯端末を用いる宅内ユーザ見守り機能を有するシステムとして、照明スイッチ２を利用して低コストな構成で宅内全域に容易に適用可能な照明スイッチシステム１が実現される。
【０１２３】
＜変形例＞
以上に本発明の好適な実施形態を示したが、本発明は、例えば以下に示すように種々の態様に変形可能である。
【０１２４】
（１）スイッチプレート１００内の配置に関する変形
上記各実施形態では、照明スイッチ２（照明スイッチ回路１０）が、上から順に、操作スイッチ１０１（スイッチ素子３１１）、操作スイッチ１０２（スイッチ素子３１２）及びセンサユニット１０５（センサ素子３１５）を備える配置を示した。ただし、これらの配列及び組合せは、これに限られない。例えば、上から操作スイッチ１０１（スイッチ素子３１１）、センサユニット１０５（センサ素子３１５）及び操作スイッチ１０２（スイッチ素子３１２）が配列されてもよい。あるいは、上からセンサユニット１０５（センサ素子３１５）、操作スイッチ１０１（スイッチ素子３１１）及び操作スイッチ１０２（スイッチ素子３１２）が配列されてもよい。また、照明スイッチ２（照明スイッチ回路１０）は、１個の操作スイッチ（１個のスイッチ素子）及び２個のセンサユニット（２個のセンサ素子）を備えてもよい。
【０１２５】
また、宅内ユーザ見守り機能を実施しない場合には、センサユニット（センサ素子）は設けられなくてもよい。言い換えると、センサユニット（センサ素子）がなくても操作スイッチ（スイッチ素子）が設けられていれば、スイッチ操作／検知機能のうちの操作機能、宅内遠隔操作機能及び宅外遠隔操作機能は実施可能である。また、スイッチ操作／検知機能を実施しない場合には、操作スイッチ（スイッチ素子）は設けられなくてもよい。言い換えると、操作スイッチ（スイッチ素子）がなくてもセンサユニット（センサ素子）が設けられていれば、スイッチ操作／検知機能のうちの検知機能、宅内遠隔操作機能、宅外遠隔操作機能及び宅内ユーザ見守り機能は実施可能である。
【０１２６】
また、照明スイッチ２（照明スイッチ回路１０）は、２個の操作スイッチ（２個のマイクロスイッチ）のみを備えてもよいし、１個の操作スイッチ（１個のマイクロスイッチ）及び１個のセンサユニット（１個のセンサ素子）を備えてもよいし、２個のセンサユニット（２つのセンサ素子）のみを備えてもよい。またさらに、照明スイッチ２（照明スイッチ回路１０）は、１個の操作スイッチ（１個のマイクロスイッチ）のみを備えてもよいし、１個のセンサユニット（１個のセンサ素子）のみを備えてもよい。
【０１２７】
また、照明スイッチ２（照明スイッチ回路１０）は、適宜の組合せで合計４〜６個（例えば２列）の操作スイッチ（マイクロスイッチ）、センサユニット（センサ素子）及び／又は空ユニット（パネルのみ）を備えてもよい。例えば、照明スイッチ２（照明スイッチ回路１０）は、４個の操作スイッチ（４個のマイクロスイッチ）、１個のセンサユニット（１個のセンサ素子）及び１個の空ユニットを備え得る。この場合、照明スイッチ回路１０は、第１及び第２の実施形態と同様の回路構成を有するが、第１及び第２の実施形態のように３枚の基板に分けて積層されなくてもよい。
【０１２８】
（２）スイッチ素子３１１及び３１２に関する変形
上記各実施形態では、スイッチ素子３１１及び３１２としてマイクロスイッチを示したが、操作スイッチ１０１及び１０２の操作に応じて操作信号が出力されるものであれば、タッチセンサなど、他の種類のスイッチであってもよい。
【０１２９】
（３）センサ素子３１５に関する変形
上記各実施形態では、センサ素子３１５（センサユニット１０５）が人感センサである構成を示したが、センサ素子に温度センサ、音センサ、振動センサなどが採用されてもよい。例えば、温度センサによって検知される熱によって人体の有無を判別してもよいし、音センサ又は振動センサによって人体の動きを検知してもよい。
【０１３０】
（４）通信規格に関する変形
上記各実施形態では、無線モジュール３２０又は無線通信回路２４と無線ＬＡＮルータ３とがＷｉ−Ｆｉ通信を行う構成を示したが、同様の無線通信機能を実現可能なものであれば、現存する又は将来に開発される他の通信規格が採用されてもよい。
【０１３１】
（５）直接制御機能の付加
上記各実施形態では、操作信号又は検知信号が照明スイッチ２から無線ＬＡＮルータ３を介してクラウドサーバ５に送信され、これに応じて制御信号がクラウドサーバ５から無線ＬＡＮルータ３を介して照明スイッチ２に送信され、制御信号に基づいて制御回路３３０（２５）においてリレー制御信号が出力される構成を示した。一方、通信障害時などの状況に応じて、照明スイッチ２において制御回路３３０（２５）が操作信号又は検知信号から直接にリレー制御信号を出力する機能が設けられてもよい。
【符号の説明】
【０１３２】
１  照明スイッチシステム
２、２−１〜２−ｍ  照明スイッチ
３  無線ＬＡＮルータ
４、４−１〜４−ｎ  照明器具
５  クラウドサーバ
５１  通信部
５２  記憶部
５４  照明制御部
５６  監視通知部
６  制御端末
１０  照明スイッチ回路
１００  スイッチプレート
１０１、１０２  操作スイッチ
１０３、１０４、１０７  インジケータ
１０５  センサユニット
２００、２５０  ケース
３００  制御基板
３０１  前面（第１の基板面）
３０２  背面（第２の基板面）
３１１、３１２  スイッチ素子（マイクロスイッチ）
３１５  センサ素子
３２０  無線モジュール
３３０  制御回路
４００  電源基板
４１０  ＡＣ／ＤＣコンバータ
４２０  リレースイッチ
４３０  リレー駆動回路
５００  コネクタ基板
５１０、５１５  接続端子
Ａ  取付部材
Ｐ  前面パネル
【図１】
2020024891.tif 000003
【図２】
2020024891.tif 000004
【図３】
2020024891.tif 000005
【図４】
2020024891.tif 000006
【図５】
2020024891.tif 000007
【図６】
2020024891.tif 000008
【図７】
2020024891.tif 000009
【図８】
2020024891.tif 000010
【図９】
2020024891.tif 000011
【図１０】
2020024891.tif 000012
【図１１】
2020024891.tif 000013
【図１２】
2020024891.tif 000014